(57)【要約】【課題】排気浄化装置周辺に設置される部品類を排気浄化装置に対し簡便に固定し得る排気浄化装置を提供する。【解決手段】排気ガス１が流通する排気流路の途中に、排気ガス１に対し還元剤を添加するための還元剤添加装置９を備えた排気浄化装置であって、還元剤添加装置９を設置するための座面１２に、還元剤添加装置９以外の部品を固定するための被固定部１３ｂを追加で設ける。被固定部１３には、還元剤添加装置９に還元剤を供給する還元剤配管１１を支持する支持ブラケット１５や、還元剤添加装置９と排気流路との間に配置され、該排気流路から還元剤添加装置９への熱伝達を遮るインシュレータ１４を固定することができる。【選択図】図１
2018184923.tif 000002
【特許請求の範囲】
【請求項１】
排気ガスが流通する排気流路の途中に、排気ガスに対し還元剤を添加するための還元剤添加装置を備えた排気浄化装置であって、前記還元剤添加装置を設置するための座面に、前記還元剤添加装置以外の部品を固定するための被固定部を追加で設けたことを特徴とする排気浄化装置。
【請求項２】
前記被固定部に、前記還元剤添加装置に還元剤を供給する還元剤配管を支持する支持ブラケットを固定したことを特徴とする請求項１に記載の排気浄化装置。
【請求項３】
前記支持ブラケットと前記座面の間に、前記支持ブラケットよりも熱伝導率の低い遮熱材を備えたことを特徴とする請求項２に記載の排気浄化装置。
【請求項４】
前記被固定部に、前記還元剤添加装置と排気流路との間に配置され、該排気流路から前記還元剤添加装置への熱伝達を遮るインシュレータを固定したことを特徴とする請求項１〜３のいずれか一項に記載の排気浄化装置。
【発明の詳細な説明】
【技術分野】
【０００１】
本発明は、排気浄化装置に関する。
【背景技術】
【０００２】
エンジンから排出される排気ガスには、パティキュレート（Particulate Matter：粒子状物質）やＮＯｘ等が含まれるため、排気ガスが流通する排気管の途中にパティキュレートフィルタや酸化触媒、選択還元型触媒といった浄化材を備えて排気ガスを浄化することが行われている。
【０００３】
図４、図５はこうした排気浄化装置の一例を示している。エンジンから排出される排気ガス１が流通する排気管２の途中に、排気ガス１中のパティキュレートを捕集するパティキュレートフィルタ３と、該パティキュレートフィルタ３の下流側にＮＯｘを還元剤と反応させ得る性質を備えた選択還元型触媒４とをケーシング５，６によりそれぞれ抱持して並列に配置すると共に、パティキュレートフィルタ３の後端部と選択還元型触媒４の前端部との間をＳ字構造の連絡流路７により接続し、パティキュレートフィルタ３の後端部から排出された排気ガス１が前方に折り返されて隣の選択還元型触媒４の前端部に導入されるようにしている。また、前記二つの浄化材（パティキュレートフィルタ３、選択還元型触媒４）に加え、パティキュレートフィルタ３が抱持されている第一ケーシング５内の前段には、排気ガス１中の未燃燃料分を酸化処理する酸化触媒８が装備されている。
【０００４】
連絡流路７は、パティキュレートフィルタ３の後端部を包囲し且つ該後端部から出た直後の排気ガス１を壁面に衝突させて略直角な向きに方向転換させつつ集合せしめるガス集合室７Ａと、該ガス集合室７Ａで集められた排気ガス１を前方に向けて抜き出すミキシングパイプ７Ｂと、該ミキシングパイプ７Ｂにより前方に導かれた排気ガス１を壁面に衝突させて略直角な向きに方向転換させつつ分散せしめ且つその分散された排気ガス１を選択還元型触媒４の前端部に導入し得るよう該前端部を包囲するガス分散室７ＣとによりＳ字構造をなして構成されている。
【０００５】
ガス集合室７Ａには、パティキュレートフィルタ３の出側端部から出た排気ガス１が略直角な向きに方向転換されて向かう方向へ還元剤を添加する還元剤添加装置９を装備している。還元剤添加装置９は、図４、図５に示す如く、パティキュレートフィルタ３の下流側の排気流路をなすガス集合室７Ａの直上の位置から、第二ケーシング６とは反対側へ周方向に所定距離ずれた斜め上方の位置に設置されており、そこから第二ケーシング６側へ向かう斜め下へ、ミキシングパイプ７Ｂの入口側に向けて還元剤を噴射するようになっている。還元剤添加装置９には、該還元剤添加装置９に還元剤を供給する還元剤配管１１が接続されている。
【０００６】
上述の如き排気浄化装置は、全体が図４、図５に示すようにフレーム１０に取り付けられている。第一ケーシング５は車体の左右方向に関してフレーム１０の内側に位置するようにフレーム１０に対し固定され、第二ケーシング６はフレーム１０の外側に固定されている。
【０００７】
このような構成を採用すれば、パティキュレートフィルタ３により排気ガス１中のパティキュレートが捕集されると共に、その下流側の連絡流路７の途中で還元剤添加装置９から還元剤が排気ガス１中に添加され、選択還元型触媒４上で排気ガス１中のＮＯｘと反応する結果、排気ガス１中のパティキュレートとＮＯｘの同時低減が図られることになる。
【０００８】
この際、パティキュレートフィルタ３の後端部から排出された排気ガス１が連絡流路７により前方に折り返されてから隣の選択還元型触媒４の前端部に導入されるようになっているので、前記連絡流路７の途中にある還元剤の添加位置から選択還元型触媒４までの距離が長く確保され、排気ガス１の流れが折り返されることで還元剤と排気ガス１との混合促進が図られる。
【０００９】
しかも、パティキュレートフィルタ３と選択還元型触媒４とが並列に配置され、これらパティキュレートフィルタ３と選択還元型触媒４との間に沿うように連絡流路７が配置されているので、その全体構成がコンパクトなものとなって車両への搭載性が大幅に向上されることになる。
【００１０】
尚、この種の還元剤を添加するための還元剤添加装置を備えた排気浄化装置に関連する先行技術文献としては、例えば、下記の特許文献１等がある。
【先行技術文献】
【特許文献】
【００１１】
【特許文献１】特開２０１５−４８７１５号公報
【発明の概要】
【発明が解決しようとする課題】
【００１２】
上述の図４、図５に示す如き排気浄化装置においては、還元剤添加装置９に接続される還元剤配管１１をどこかに固定しておく必要がある。エンジンの振動等により、還元剤添加装置９近傍の還元剤配管１１が大きく変位すると、該還元剤配管１１と還元剤添加装置９との接続部や、還元剤添加装置９の構成部品に無理な荷重がかかる場合があるからである。
【００１３】
還元剤配管１１を固定する対象としては、排気浄化装置を構成する部材のいずれかを選択することができる。例えば、還元剤添加装置９の取り付けられた部位近傍のガス集合室７Ａや第一ケーシング５といった部材に支持ブラケットを設置し、該支持ブラケットに対して還元剤配管１１を固定すれば良い。この場合、還元剤配管１１と還元剤添加装置９とが同一振動系に属することになるので、還元剤配管１１と還元剤添加装置９との間の変位を防止する上で好ましい。
【００１４】
ここで、還元剤配管１１の固定位置に関しては、振動のほかに温度を考慮する必要がある。排気浄化装置は、内部を流通する高温の排気ガス１により熱せられており、高温となっている部位の近傍に還元剤配管１１が位置していると、該還元剤配管１１が熱の影響を受け、素材の耐久性が低下したり、固定部の樹脂材が溶損する虞がある。このため、還元剤配管１１の固定位置は、排気ガス１が流通する部位からはある程度離間している必要がある。
【００１５】
すなわち、還元剤配管１１を設置するにあたっては、該還元剤配管１１を還元剤添加装置９と同一振動系に属するように配置する要請がある一方で、固定位置を排気流路からある程度離れた位置に設定しなくてはならない。これらを両立させるために、例えば、ガス集合室７Ａもしくは第一ケーシング５に取り付けた支持ブラケットを大型化して排気浄化装置の構成する排気流路の外へ大きく突出させ、前記支持ブラケットの先端に還元剤配管１１を固定するといった措置が取られる。しかしながら、前記支持ブラケットを大型化した場合、該支持ブラケットを含む排気浄化装置全体の寸法が大きくなり、搭載性が損なわれてしまうほか、前記支持ブラケットを構成する部品のばらつきの影響が大きく、組付けにあたって誤差が生じやすくなるという問題がある。
【００１６】
また、排気浄化装置には、還元剤配管１１のほか、例えば熱伝達を遮断するためのインシュレータや、飛石から各部を保護するためのカバー等、種々の部品が装備される。これらの部品類は、取り付けに際し、必ずしも上述の還元剤配管１１のように振動や熱の影響を考慮する必要があるものばかりではないが、取り付けのための座面等をいずこかに設置すべきである点では共通している。このように、排気浄化装置を設計するにあたっては、該排気浄化装置周辺に設置されるこれらの部品や機器を適切な場所に配置するための固定構造の設置が必須になる。
【００１７】
本発明は、斯かる実情に鑑み、排気浄化装置周辺に設置される部品類を排気浄化装置に対し簡便に固定し得る排気浄化装置を提供しようとするものである。
【課題を解決するための手段】
【００１８】
本発明は、排気ガスが流通する排気流路の途中に、排気ガスに対し還元剤を添加するための還元剤添加装置を備えた排気浄化装置であって、前記還元剤添加装置を設置するための座面に、前記還元剤添加装置以外の部品を固定するための被固定部を追加で設けたことを特徴とする排気浄化装置にかかるものである。
【００１９】
而して、このようにすれば、排気浄化装置周辺に部品類を設置するにあたり、各部品毎に座面を新たに設定するような必要がなく、前記部品類を還元剤添加装置の近傍に簡便且つ低コストにて好適に配置することができる。
【００２０】
本発明の排気浄化装置においては、前記被固定部に、前記還元剤添加装置に還元剤を供給する還元剤配管を支持する支持ブラケットを固定することができ、このようにすれば、還元剤配管１１を排気浄化装置本体の近傍の好適な位置に固定することができる。
【００２１】
本発明の排気浄化装置においては、前記支持ブラケットと前記座面の間に、前記支持ブラケットよりも熱伝導率の低い遮熱材を備えることができ、このようにすれば、排気流路から還元剤配管への支持ブラケットを介した熱の伝導を軽減することができる。
【００２２】
本発明の排気浄化装置においては、前記被固定部に、前記還元剤添加装置と排気流路との間に配置され、該排気流路から前記還元剤添加装置への熱伝達を遮るインシュレータを固定することができ、このようにすれば、還元剤添加装置の近傍にインシュレータを簡便に設置することができる。
【発明の効果】
【００２３】
本発明の排気浄化装置によれば、以下の如き種々の優れた効果を奏し得る。
【００２４】
（Ｉ）本発明の請求項１に記載の発明によれば、排気浄化装置周辺に設置される部品類を排気浄化装置に対し簡便に固定することができる。
【００２５】
（ＩＩ）本発明の請求項２に記載の発明によれば、還元剤配管を排気浄化装置本体の近傍にて固定するので、支持ブラケットをなるべく小さくしつつ、還元剤添加装置と還元剤配管とを排気浄化装置に対し同一振動系にて固定し、且つ還元剤配管を熱から保護することができる。
【００２６】
（ＩＩＩ）本発明の請求項３に記載の発明によれば、排気流路から還元剤配管への支持ブラケットを介した熱の伝導を軽減するので、還元剤配管への熱の影響を一層低減することができる。
【００２７】
（ＩＶ）本発明の請求項４に記載の発明によれば、還元剤添加装置の近傍にインシュレータを設置することで、還元剤添加装置への排気ガスからの熱伝導を妨げ、還元剤添加装置への熱の影響を抑えつつ、還元剤を高温の領域に添加することができる。
【図面の簡単な説明】
【００２８】
【図１】本発明の実施例の要部を示す分解斜視図である。
【図２】図１の実施例に関し、部品類を取り付けた状態を示す斜視図である。
【図３】本発明の参考例を示す斜視図である。
【図４】還元剤添加装置を備えた排気浄化装置の一例を示す平面図である。
【図５】図４の排気浄化装置の側面図である。
【発明を実施するための形態】
【００２９】
以下、本発明の実施の形態を添付図面を参照して説明する。
【００３０】
図１、図２は本発明の実施による排気浄化装置の形態の一例を示している。ここでは、上述の図４、図５に示した例と同様の構成を有する排気浄化装置に対して本発明を適用した場合を例示しており、本実施例は特に、排気流路に対し還元剤添加装置９を設置するための座面の構成に特徴を有している。以下では、必要に応じて図４及び図５をも参照しながら説明を行うこととする。
【００３１】
本実施例の排気浄化装置は、図４、図５に示す如く、エンジンから排出される排気ガス１が流通する排気管２の途中に、パティキュレートフィルタ３と選択還元型触媒４を第一ケーシング５及び第二ケーシング６によりそれぞれ抱持して並列に配置すると共に、パティキュレートフィルタ３の後端部と選択還元型触媒４の前端部との間をＳ字構造の連絡流路７により接続して排気流路を構成している。パティキュレートフィルタ３が抱持されている第一ケーシング５内の前段には、酸化触媒８が装備されている。
【００３２】
連絡流路７は、ガス集合室７Ａと、ミキシングパイプ７Ｂと、ガス分散室７ＣとによりＳ字構造をなしており、ガス集合室７Ａには、パティキュレートフィルタ３の出側端部から出た排気ガス１が略直角な向きに方向転換されて向かう方向へ還元剤を添加する還元剤添加装置９を装備している。還元剤添加装置９は、パティキュレートフィルタ３の下流側の流路をなすガス集合室７Ａの直上の位置から、第二ケーシング６とは反対側へ周方向に所定距離ずれた斜め上方の位置に設置されており、そこから第二ケーシング６側へ向かう斜め下へ、ミキシングパイプ７Ｂの入口側に向けて還元剤を噴射するようになっている。還元剤添加装置９には、該還元剤添加装置９に還元剤を供給する還元剤配管１１が接続されている。
【００３３】
第一ケーシング５は車体の左右方向に関してフレーム１０の内側に位置するようにフレーム１０に対し固定され、第二ケーシング６はフレーム１０の外側に固定されている。
【００３４】
そして、本実施例の場合、図１、図２に示す如く、排気流路を構成するガス集合室７Ａに対して還元剤添加装置９を設置するための座面１２に、還元剤添加装置９以外の部品類を取付け可能にした点を特徴としている。尚、図２は図１に示した座面１２に対し、還元剤添加装置９やその他の部品を取り付けた状態を示している。
【００３５】
座面１２は、図１に示す如く全体としてホームベース状の五角形をなしており、該五角形の各頂点近傍に、各々締結具を組付け可能な被固定部１３を備えている。座面１２に合計五個備えられた被固定部１３のうち、略正三角形の各頂点をなすよう配置された三個の被固定部１３ａは、還元剤添加装置９を設置するための構造であり、残りの二個の被固定部１３ｂは、還元剤添加装置９以外の部品（ここでは、インシュレータ１４、及び還元剤配管１１を支持するための支持ブラケット１５）を固定するための構造である。
【００３６】
還元剤添加装置９は、図１に示す如く、還元剤の噴射を行うインジェクタ本体１６と、該インジェクタ本体１６を収容し且つ座面１２に取り付けるためのインジェクタホルダ１７を備えている。インジェクタホルダ１７には、座面１２にインジェクタ本体１６の先端部１６ａが向くよう、該先端部１６ａを嵌合させてインジェクタ本体１６を収容するポケット１８を備えており、該ポケット１８の外周には、冷却水配管１９ａから供給される冷却水を循環させてインジェクタ本体１６の冷却を行う流路（図示せず）を内部に備えたウォータージャケット１９が形成されている。インジェクタ本体１６の後端部１６ｂには、還元剤配管１１が接続される。
【００３７】
インジェクタホルダ１７の下部には、座面１２に沿った面をなす取付部２０が形成されている。取付部２０の座面１２と対向する面（図中には表れない面）には、ポケット１８の先端側が開口しており（図示せず）、座面１２の中央には、前記開口と対応した位置に、ガス集合室７Ａの内外を貫通する連通穴１２ａが開口している。そして、還元剤添加装置９を座面に組み付けた状態において、ポケット１８に収容されたインジェクタ本体１６の先端部１６ａが、ガス集合室７Ａの内部空間に露出するようになっている。
【００３８】
尚、還元剤添加装置９は、図１、図２に図示した以外にも、例えば還元剤の圧力を検出するための圧力計や、該圧力計を還元剤の流路に取り付けるための部材、インジェクタ本体１６をインジェクタホルダ１７に対し確実に固定するための弾性体等、種々の部品を備えて構成されているが、本発明の趣旨とは直接関係しないため、ここでは図示や説明を省略している。
【００３９】
取付部２０には、インジェクタホルダ１７の周囲に張り出すフランジが形成されており、該フランジには、座面１２に設けた三個の被固定部１３ａと対応する位置に固定穴２０ａが開口している。固定穴２０ａは、図２に示す如く、座面１２の被固定部１３ａと締結具２１で締結されることにより、インジェクタホルダ１７を座面１２に固定できるようになっている。
【００４０】
本実施例の場合、被固定部１３ａは、図１に示す如く座面１２からボルトの軸が突出した構成となっており、該軸を取付部２０の固定穴２０ａに通し、ナットである締結具２１を取り付けて締め上げることで、図２に示す如く取付部２０が座面１２に締結される。尚、被固定部１３ａとしては、ここでは座面１２からボルトの軸が突出した構造を例示したが、被固定部１３ａとしては種々の構成を採用することが可能である。例えば、前記ボルトの軸は座面１２側に固定されていても良いし、座面１２に備えた穴に対してガス集合室７Ａの内側からボルトを挿し込むようにすることもできる。あるいは、被固定部１３ａを座面１２に設けた穴とし、該穴及び取付部２０の固定穴２０ａを、取付部２０に関して座面１２とは反対側から締結具で貫通して締結するようにしても良い。その他、被固定部１３ａの構成は、インジェクタホルダ１７の取付部２０を好適に取り付けられる限りにおいて種々変更し得る。
【００４１】
座面１２に設けた被固定部１３のうち、還元剤添加装置９の固定に関係しない二個の被固定部１３ｂは、被固定部１３ａと同じ座面１２に設けられてはいるが、三個の被固定部１３ａを頂点とする三角形の外側に配置されている。そして、図２に示す如く還元剤添加装置９を座面１２に固定した状態において、被固定部１３ｂは取付部２０に形成したフランジに覆われる領域の外に位置する。
【００４２】
すなわち、座面１２を単に還元剤添加装置９を固定するための構造として設計すれば、図３に参考例として示す如く、インジェクタホルダ１７の取付部２０（図１参照）に応じた形状の座面２２を設けることになるが、本実施例の場合、取付部２０の外にまで座面１２の範囲を拡張し、その拡張した領域に、還元剤添加装置９以外の部品を取り付けるための被固定部１３ｂを設けている。
【００４３】
二つの被固定部１３ｂには、本実施例の場合、図１、図２に如くインシュレータ１４及び支持ブラケット１５がそれぞれ取り付けられる。被固定部１３ｂの一つは、座面１２におけるインジェクタホルダ１７の取付位置よりも第一ケーシング５側（図中左側；図４をも参照）に設けられており、ここにインシュレータ１４の取付部１４ａがボルトである締結具２３により締結される。インシュレータ１４は、金属板により構成された本体部（図示せず）が、排気流路を構成する第一ケーシング５（図４参照）と、該第一ケーシング５や連絡流路７がなす排気流路の外側に設置された還元剤添加装置９との間を隔てるように配置され、高温の排気ガス１が流通する第一ケーシング５から放射される熱から還元剤添加装置９を保護するようになっている。
【００４４】
被固定部１３ｂの残り一つは、座面１２におけるインジェクタホルダ１７の取付位置の反第一ケーシング５側（図中右側；図４をも参照）に設けられており、ここには、支持ブラケット１５の取付部１５ａがボルトである締結具２３により締結される。支持ブラケット１５は、金属板を屈曲させて形成された部材であり、座面１２に沿った面をなす取付部１５ａと、該取付部１５ａから還元剤添加装置９の側方に立ち上がる本体部１５ｂと、還元剤配管１１の接続部の高さに位置する本体部１５ｂの先端側に設けられた支持部１５ｃを備えている。
【００４５】
支持部１５ｃは、本体部１５ｂの先端において該本体部１５ｂから屈曲しつつ延び、還元剤添加装置９に接続される還元剤配管１１に沿った面をなしている。本実施例の場合、還元剤配管１１は、還元剤添加装置９に対してインジェクタ本体１６と略直交する向きに取り付けられ、支持ブラケット１５は、取付部１５ａを座面１２に取り付けた状態において、支持部１５ｃがインジェクタ本体１６と略直交する面をなすよう、取付部１５ａや支持部１５ｃのなす面の角度を調整されている。
【００４６】
図１に示す如く、支持部１５ｃの中心部には支持穴１５ｄが開口しており、この支持穴１５ｄにクランプ等である固定具２４を取り付けることで、図２に示す如く、該固定具２４を介して還元剤配管１１を支持ブラケット１５に対し固定することができる。
【００４７】
このように、還元剤添加装置９を固定するための被固定部１３ａを備えた座面１２に、還元剤添加装置９以外の部品を固定するための被固定部１３ｂを追加すれば、排気浄化装置周辺に設置すべき部品類を、還元剤添加装置９の近傍の好適な位置に配置することができる。すなわち、前記部品類の設置にあたり、該部品類を固定するための構造としては、還元剤添加装置９を設置するための座面１２を拡張し、被固定部１３ｂを設ければ済むので、各部品毎に座面を新たに設定するような必要がなく、簡便且つ低コストにて前記部品類を支持することができる。
【００４８】
特に、本実施例の場合、被固定部１３ｂの一つに、還元剤配管１１を支持するための支持ブラケット１５を取り付けている。このようにすると、還元剤添加装置９と還元剤配管１１とを排気浄化装置に対し同一振動系にて固定することになるが、同時に、還元剤配管１１に対する熱の影響を避けることもできる。
【００４９】
還元剤添加装置９は、樹脂製のＯリング等、比較的熱に弱い部品を備えて構成されているため、排気浄化装置に設置するにあたっては、該排気浄化装置内を流通する排気ガス１の熱の影響を低減する手段を講じる必要があり、還元剤添加装置９をガス集合室７Ａの外側へ張り出すように配置していることも、そうした熱対策の一環である。つまり、還元剤添加装置９を設置する場所としては、排気ガス１による熱の影響が少ない領域がもともと選択されるので、還元剤添加装置９の近傍に還元剤配管１１を固定すれば、該還元剤配管１１への熱の影響をも小さくすることになるのである。
【００５０】
しかも、本実施例においては、還元剤配管１１を支持する支持ブラケット１５は、還元剤添加装置９に関して第一ケーシング５とは反対側に位置している。すなわち、還元剤配管１１と、排気ガス１の流通する第一ケーシング５とは還元剤添加装置９を挟んで対峙するため、該還元剤添加装置９により、第一ケーシング５から還元剤配管１１へ伝わる熱をある程度遮断することにもなる。
【００５１】
そして、このように還元剤配管１１を還元剤添加装置９の近傍に固定するようにすれば、該還元剤配管１１の固定位置は排気浄化装置本体の近傍であるので、支持ブラケット１５をなるべく小さくすることが可能である。したがって、排気浄化装置全体としての寸法を小さくし、搭載性を向上することができるほか、支持ブラケット１５のばらつきによる誤差の影響を極力小さくすることにもなる。
【００５２】
支持ブラケット１５を被固定部１３ｂに固定するにあたっては、図１に示す如く、取付部１５ａと座面１２との間に遮熱材としてのワッシャ２５を挟み込んでも良い。ワッシャ２５は、支持ブラケット１５よりも熱伝導率の低い素材により構成することで、ガス集合室７Ａから支持ブラケット１５を介して還元剤配管１１へ伝達される熱をある程度遮断し、還元剤配管１１への熱の影響を一層低減することができる。また、図示は省略するが、支持部１５ａや座面１２の形状や寸法によっては、支持部１５ａのなす面がインジェクタホルダ１７の取付部２０に覆われた部分まで延在する場合もあり得る。その場合、取付部２０と支持部１５ａとの間にあたる位置にも別に遮熱材を挟み込むか、支持部１５ａと座面１２との間に挟み込むワッシャを取付部２０と支持部１５ａとの間にまで延在させるようにすれば良い。
【００５３】
さらに、本実施例においては、還元剤添加装置９よりも第一ケーシング５に近い位置にある被固定部１３ｂにインシュレータ１４を取り付け、第一ケーシング５から還元剤添加装置９への熱の伝達を妨げるようにしている。このようにすると、還元剤添加装置９を熱から保護することができるほか、還元剤添加装置９よりも第一ケーシング５から遠い位置にて固定された還元剤配管１１への熱の影響も低減される。
【００５４】
また、還元剤添加装置９は、上述の如く熱の影響を避けるように設置位置を考慮する必要があるが、一方で、還元剤によるＮＯｘの浄化効率の面からは、還元剤を排気流路のうちでもなるべく温度の高い領域に添加することが好ましい。この点でも、上述の如きインシュレータ１４の配置は効果的である。インシュレータ１４により、排気ガス１からの熱伝導を妨げることで、還元剤添加装置９への熱の影響を抑えつつ、還元剤を高温の領域に添加できるからである。そして、この際、上述の如く、還元剤添加装置９を設置する座面１２に備えた被固定部１３ｂにインシュレータ１４を固定するようにすれば、該インシュレータ１４を還元剤添加装置９の近傍に簡便に設置することができる。これは、還元剤添加装置９を熱から保護するというインシュレータ１４の機能にとり、最も都合の良い配置である。
【００５５】
尚、本実施例では、追加の被固定部１３ｂにインシュレータ１４と支持ブラケット１５を固定する場合を説明したが、被固定部１３ｂに取り付ける部品はこれに限定されない。排気浄化装置の近傍に配置する必要のある部品や機器類であれば、どのようなものを取り付けても良い。
【００５６】
また、本実施例では、座面１２に対し、還元剤添加装置９の固定のための被固定部１３ａを三箇所、追加の被固定部１３ｂを二箇所備えた場合を説明したが、被固定部１３ａ，１３ｂの数はこれに限定されない。被固定部１３ａの数や配置は、還元剤添加装置側の取付部の仕様によって決定すれば良いし、被固定部１３ｂの数は、近傍に設置すべき部品の数や種類に応じて増減させることができる。また、複数の被固定部１３ｂによって一個の部品を固定することもできる。座面１２の形状や、該座面１２に対する被固定部１３ａ，１３ｂの配置も、固定する部品の形状や配置に合わせて設計すれば良い。
【００５７】
また、上ではガス集合室７Ａの上面に還元剤添加装置９を設けた場合を説明したが、これに代えて、図４中に破線で示すように、ミキシングパイプ７Ｂの上流側から該ミキシングパイプ７Ｂの内部へ向けて還元剤を噴射するように還元剤添加装置９及び還元剤配管１１を設けていても良い。その他、還元剤添加装置９は、必要に応じて排気流路における種々の位置に設置することができ、その場合にも、図１、図２に示した例の如く座面を拡張することで、同様の作用効果を得ることができる。
【００５８】
以上のように、上記本実施例においては、排気ガス１が流通する排気流路の途中に、排気ガス１に対し還元剤を添加するための還元剤添加装置９を備えた排気浄化装置であって、還元剤添加装置９を設置するための座面１２に、還元剤添加装置９以外の部品を固定するための被固定部１３ｂを追加で設けているので、排気浄化装置周辺に部品類を設置するにあたり、各部品毎に座面を新たに設定するような必要がなく、前記部品類を還元剤添加装置９の近傍に簡便且つ低コストにて好適に配置することができる。
【００５９】
また、本実施例においては、被固定部１３ｂに、還元剤添加装置９に還元剤を供給する還元剤配管１１を支持する支持ブラケット１５を固定しているので、還元剤配管１１を排気浄化装置本体の近傍の好適な位置に固定することができる。したがって、支持ブラケット１５をなるべく小さくしつつ、還元剤添加装置９と還元剤配管１１とを排気浄化装置に対し同一振動系にて固定し、且つ還元剤配管１１を熱から保護することができる。
【００６０】
また、本実施例においては、支持ブラケット１５と座面１２の間に、前記支持ブラケットよりも熱伝導率の低い遮熱材２５を備えているので、排気流路から還元剤配管１１への支持ブラケット１５を介した熱の伝導を軽減し、還元剤配管１１への熱の影響を一層低減することができる。
【００６１】
また、本実施例においては、被固定部１３ｂに、還元剤添加装置９と排気流路との間に配置され、該排気流路から還元剤添加装置９への熱伝達を遮るインシュレータ１４を固定しているので、還元剤添加装置９の近傍にインシュレータ１４を備えることで、還元剤添加装置９への排気ガス１からの熱伝導を妨げ、還元剤添加装置９への熱の影響を抑えつつ、還元剤を高温の領域に添加することができる。
【００６２】
したがって、上記本実施例によれば、排気浄化装置周辺に設置される部品類を排気浄化装置に対し簡便に固定し得る。
【００６３】
尚、本発明の排気浄化装置は、上述の実施例にのみ限定されるものではなく、例えば、浄化材としてＮＯｘをアンモニアと反応せしめる性質を備えた選択還元型触媒を設置する場合には、還元剤として尿素を用いても良いこと、その他、本発明の要旨を逸脱しない範囲内において種々変更を加え得ることは勿論である。
【符号の説明】
【００６４】
１    排気ガス
９    還元剤添加装置
１２    座面
１３ｂ  被固定部
１４    インシュレータ
１５    支持ブラケット
２５    遮熱材
【図１】
2018184923.tif 000003
【図２】
2018184923.tif 000004
【図３】
2018184923.tif 000005
【図４】
2018184923.tif 000006
【図５】
2018184923.tif 000007